(57)【要約】【課題】小型で設置が容易でかつ広帯域な電波信号を使用可能な電波目標模擬システムを得る。【解決手段】目標の擬似信号Ｓを生成する擬似信号発生装置１と、光信号Ｌを発生する光源２と、擬似信号Ｓにより光信号Ｌを強度変調した変調出力光ＬＭを生成する光変調器３と、変調出力光ＬＭを反射して変調出力光ＬＭの反射角度を任意に変更可能な駆動反射板４と、駆動反射板４の動作量Ｃを制御して反射角度を設定する制御装置５と、動作量Ｃを指定する計算機６と、駆動反射板４で反射された変調出力光ＬＭを擬似信号Ｓに対応した電気信号Ｅに変換する複数の光電変換器７と、各光電変換器７に個別に接続されて電気信号Ｅに応じた電波信号Ｗを空間に放射する複数の素子アンテナ８と、各光電変換器７および各素子アンテナ８を配置するビルボード９とを備えている。各素子アンテナ８は、電波信号Ｗを、時間的に順次に位置をシフトしながら被測定物１０に向けて放射する。【選択図】図１
2011128059.tif 000002
【特許請求の範囲】
【請求項１】
目標を模擬するための擬似信号を生成する擬似信号発生装置と、
光信号を発生する光源と、
前記擬似信号により前記光信号を強度変調した変調出力光を生成する光変調手段と、
前記光変調手段からの変調出力光を反射するとともに、前記変調出力光の反射角度を任意に変更可能な駆動反射板と、
前記駆動反射板の動作量を制御して前記反射角度を設定する制御装置と、
前記制御装置に対して前記動作量を指定する計算機と、
前記駆動反射板により反射された前記変調出力光を前記擬似信号に対応した電気信号に変換する複数の光電変換器と、
前記複数の光電変換器に個別に接続されて、前記電気信号に応じた電波信号を空間に放射する複数の素子アンテナと、
前記複数の光電変換器および前記複数の素子アンテナを配置するためのビルボードと、を備え、
前記複数の素子アンテナは、前記電波信号を、時間的に順次に位置をシフトしながら被測定物に向けて放射することを特徴とする電波目標模擬システム。
【請求項２】
第１の目標を模擬する第１の擬似信号を生成する第１の擬似信号発生装置と、
前記第１の目標とは異なる第２の目標を模擬する第２の擬似信号を生成する第２の擬似信号発生装置と、
第１および第２の光信号Ｌを個別に発生する第１および第２の光源と、
前記第１の擬似信号により前記第１の光信号を強度変調した第１の変調出力光を生成する第１の光変調手段と、
前記第２の擬似信号により前記第２の光信号を強度変調した第２の変調出力光を生成する第２の光変調手段と、
前記第１の変調出力光を反射するとともに、前記第１の変調出力光の第１の反射角度を任意に変更可能な第１の駆動反射板と、
前記第２の変調出力光を反射するとともに、前記第２の変調出力光の第２の反射角度を任意に変更可能な第２の駆動反射板と、
前記第１の駆動反射板の第１の動作量を制御して前記第１の反射角度を設定する第１の制御装置と、
前記第２の駆動反射板の第２の動作量を制御して前記第２の反射角度を設定する第２の制御装置と、
前記第１の制御装置に対して前記第１の動作量を指定する第１の計算機と、
前記第２の制御装置に対して前記第２の動作量を指定する第２の計算機と、
前記第１および第２の駆動反射板により反射された前記第１および第２の変調出力光を前記第１および第２の擬似信号に対応した第１および第２の電気信号に変換する複数の光電変換器と、
前記複数の光電変換器に個別に接続されて、前記第１および第２の電気信号に応じた第１および第２の電波信号を空間に放射する複数の素子アンテナと、
前記複数の光電変換器および前記複数の素子アンテナを配置するためのビルボードと、を備え、
前記複数の素子アンテナは、前記第１および第２の電波信号を、それぞれ異なる位置から同一タイミングで放射するとともに、時間的に順次に位置をシフトしながら被測定物に向けて放射することを特徴とする電波目標模擬システム。
【請求項３】
前記複数の光電変換器および前記複数の素子アンテナは、前記ビルボードの内面側の前記被測定物の設置側に配置されたことを特徴とする請求項１または請求項２に記載の電波目標模擬システム。
【請求項４】
前記複数の素子アンテナは、前記ビルボードの内面上の前記被測定物の設置側に配置され、
前記複数の光電変換器は、前記複数の素子アンテナの配置側とは反対側の前記ビルボードの裏面上に配置されたことを特徴とする請求項１または請求項２に記載の電波目標模擬システム。
【発明の詳細な説明】
【技術分野】
【０００１】
この発明は、被測定物（レーダ）に対して、電波目標を模擬する擬似信号に対応した電波信号を照射するための電波目標模擬システムに関するものである。
【背景技術】
【０００２】
従来から、レーダの目標追尾性能を評価するために、レーダに対して電波信号を照射する電波目標模擬システムが提案されている（たとえば、特許文献１参照）。
この種の電波目標模擬システムにおいて、レーダに照射する電波信号は、レーダの目標から出射（または、反射）した電波を模擬したものである。
【０００３】
目標の移動を仮定して目標の距離情報や速度情報に応じた電波信号を電波目標模擬システムから生成し、また同時に、電波目標模擬システムの素子アンテナを順次に切り替えて電波信号の放射位置を時間的にずらしていくと、レーダ（被測定物）側から見たときに、あたかも目標が移動していくように見える。
【０００４】
このように、電波目標模擬システムを用いて模擬的に目標を移動させたときに、被測定物のレーダで信号を電波受信して信号処理を行うことにより、レーダが目標を追尾する際の性能を評価することができる。
【先行技術文献】
【特許文献】
【０００５】
【特許文献１】特開平４−１４８８８７号公報
【発明の概要】
【発明が解決しようとする課題】
【０００６】
従来の電波目標模擬システムは、複数の素子アンテナに信号を給電するために、可変電力分配器、給電回路、スイッチなどの電子機器が必要となり、特に、模擬する目標の数を増やそうとした場合には、目標数に比例してこれらの電子機器の数も増えてしまうので、装置が大規模になるという課題があった。
一方、装置の大規模化を回避しようとすると、模擬する目標の数に制約を設ける必要が生じるので、実用的でないという課題があった。
【０００７】
また、ビルボード上に設置された各素子アンテナに給電するために、複数のケーブルが必要になることから、配線構造が複雑化するうえ、各素子アンテナの設置箇所に対する制約が大きくなるという課題があった。
【０００８】
さらに、可変電力分配器、給電回路、スイッチなどの電子機器は、一般に使用帯域が最大でも１オクターブ程度に制限されるので、この範囲を超えた周波数の電波信号を用いることができず、仮に、目標を擬似する電波信号として上記範囲を超える周波数を用いようとした場合には、シミュレーションごとに上記範囲を超える周波数に対応した電子機器に取り替える必要が生じるという課題があった。
【０００９】
この発明は、上記のような課題を解決するためになされたものであり、システム全体が大型化することなく、設置が容易で、かつ広帯域な電波信号を用いることのできる電波目標模擬システムを得ることを目的とする。
【課題を解決するための手段】
【００１０】
この発明に係る電波目標模擬システムは、目標を模擬するための擬似信号を生成する擬似信号発生装置と、光信号を発生する光源と、擬似信号により光信号を強度変調した変調出力光を生成する光変調手段と、光変調手段からの変調出力光を反射するとともに、変調出力光の反射角度を任意に変更可能な駆動反射板と、駆動反射板の動作量を制御して反射角度を設定する制御装置と、制御装置に対して動作量を指定する計算機と、駆動反射板により反射された変調出力光を擬似信号に対応した電気信号に変換する複数の光電変換器と、複数の光電変換器に個別に接続されて、電気信号に応じた電波信号を空間に放射する複数の素子アンテナと、複数の光電変換器および複数の素子アンテナを配置するためのビルボードとを備え、複数の素子アンテナは、電波信号を、時間的に順次に位置をシフトしながら被測定物に向けて放射するものである。
【発明の効果】
【００１１】
この発明によれば、システム全体が大型化することなく、広帯域かつ設置自由度の高い電波目標模擬システムを得ることができる。
【図面の簡単な説明】
【００１２】
【図１】この発明の実施の形態１に係る電波目標模擬システムを示す構成図である。
【図２】この発明の実施の形態２に係る電波目標模擬システムを示す構成図である。
【図３】この発明の実施の形態３に係る電波目標模擬システムを示す構成図である。
【発明を実施するための形態】
【００１３】
実施の形態１．
図１はこの発明の実施の形態１に係る電波目標模擬システムを示す構成図である。
図１において、被測定物（レーダ）１０に対する電波目標模擬システムは、目標を模擬した擬似信号Ｓを生成する擬似信号発生装置１と、所定波長の光信号Ｌを発生する光源２と、光信号Ｌを変調する光変調器３と、光変調器３からの変調出力光ＬＭを反射する駆動反射板４と、駆動反射板４の矢印Ｒ方向の回転角度を制御する制御装置５と、制御装置５による動作量Ｃを演算する計算機６と、光信号を電気信号Ｅに変換する複数の光電変換器７と、各光電変換器７に個別に接続された複数の素子アンテナ８と、複数の光電変換器７および複数の素子アンテナ８を所定間隔で配列設置するためのビルボード９と、を備えている。
【００１４】
擬似信号発生装置１から生成される擬似信号Ｓの周波数は、マイクロ波帯であり、通常、数１００ＭＨｚ〜数１０ＧＨｚ程度の範囲内の値である。
また、光源２からの光信号Ｌの波長は、１．５μｍ帯からなる。
【００１５】
光変調器３は、擬似信号発生装置１からの擬似信号Ｓにより、光源２からの光信号Ｌを強度変調して、光変調後の変調出力光ＬＭを生成する。光変調器３からの変調出力光ＬＭは、光ファイバ（図示せず）を介して伝送された後、空間へと放射され、駆動反射板４に入射される。
なお、ここでは、光変調器３として、広帯域に動作する導波路型のニオブ酸リチウム（ＬＮ）変調器を用いている。
【００１６】
駆動反射板４は、入射された変調出力光ＬＭを反射して、断面が凹面（または、パラボラ）形状のビルボード９の内面上に配列された複数の光電変換器７のうちの選択された１個に向けて照射する。
複数の光電変換器７は、複数の素子アンテナ８とともに、ビルボード９の内面側、すなわち被測定物１０の設置側（電波信号Ｗの放射面側）に配置されている。
【００１７】
駆動反射板４は、変調出力光ＬＭの反射面と、光電変換器７（素子アンテナ８）の開口面とが向かい合うように配置されており、空間に放射される変調出力光ＬＭの伝搬方向を高速に変化させるために、制御装置５の制御下で電気的に制御されることにより反射方向を変更可能な機能を有する。このような駆動反射板４としては、たとえば、ＭＥＭＳ（Ｍｉｃｒｏ  Ｅｌｅｃｔｒｏ  Ｍｅｃｈａｎｉｃａｌ  Ｓｙｓｔｅｍｓ）ミラーなどが用いられる。
【００１８】
駆動反射板４には制御装置５が接続されており、制御装置５は、計算機６から指定される動作量Ｃに応じて、駆動反射板４の傾きを矢印Ｒ方向に変化させる。
このとき、動作量Ｃは、駆動反射板４の角度を時間的に順次に変化させるように設定される。
【００１９】
変調出力光ＬＭが照射された光電変換器７は、変調出力光ＬＭの強度変調成分を電気信号Ｅに変換し、自身に接続された素子アンテナ８に入力する。
光電変換器７においては、駆動反射板４で反射された変調出力光ＬＭが電気信号Ｅ（変調出力光ＬＭの強度変調成分）に変換されることにより、擬似信号発生装置１で生成した擬似信号Ｓが再現される。
なお、光電変換器７としては、光強度を電流に変換する素子（フォトダイオードなど）が用いられる。
【００２０】
電気信号Ｅは、時間的に位置をシフトしながら変調出力光ＬＭが照射される各光電変換器７から順次に生成され、各光電変換器７に接続された素子アンテナ８は、電気信号Ｅに応じた電波信号Ｗ（擬似信号Ｓに対応して変調された信号）を生成して空間に放射する。
以下、目標を模擬する電波信号Ｗは、各素子アンテナ８から被測定物（レーダ）１０に照射される。
【００２１】
以上のように、この発明の実施の形態１（図１）に係る電波目標模擬システムは、目標を模擬するための擬似信号Ｓを生成する擬似信号発生装置１と、光信号Ｌを発生する光源２と、擬似信号Ｓにより光信号Ｌを強度変調した変調出力光ＬＭを生成する光変調器３と、光変調器３からの変調出力光ＬＭを反射するとともに、変調出力光ＬＭの反射角度を任意に変更可能な駆動反射板４と、駆動反射板４の動作量Ｃを制御して反射角度を設定する制御装置５と、制御装置５に対して動作量Ｃを指定する計算機６と、駆動反射板４により反射された変調出力光ＬＭを擬似信号Ｓに対応した電気信号Ｅに変換する複数の光電変換器７と、複数の光電変換器７に個別に接続されて、電気信号Ｅに応じた電波信号Ｗを空間に放射する複数の素子アンテナ８とを備えている。
【００２２】
複数の素子アンテナ８は、電気信号Ｅに応じた電波信号Ｗを、時間的に順次に位置をシフトしながら被測定物１０に向けて放射する。
このように、駆動反射板４の角度を順次に変化させることにより、擬似信号Ｓに対応した電波信号Ｗを放射する素子アンテナ８の位置を順次に変化させることができ、目標の移動を容易に模擬することができる。
【００２３】
また、従来システムにおける可変電力分配器、給電回路、スイッチなどの電子機器を用いる必要がないので、使用する擬似信号Ｓの周波数を制限する必要がなく、広帯域な擬似信号Ｓ（目標模擬信号）を取り扱うことができるうえ、地上から素子アンテナへの配線が不要になるので、設置の自由度を向上させることができる。
したがって、システム全体が大型化することなく、設置が容易でかつ広帯域な電波目標模擬システムを得ることができる。
【００２４】
なお、上記説明では、低コストを実現するために、光源２からの光信号Ｌとして、光通信で汎用される１．５μｍ帯の波長のものを使用したが、これに限定されることはなく、他の波長帯（０．８μｍ帯や１μｍ帯など）を使用可能なことは言うまでもない。
また、光変調手段として、導波路型のニオブ酸リチウム（ＬＮ）変調器からなる光変調器３を用いたが、これに限定されることはなく、電界吸収型（ＥＡ）変調器などの他の光変調器を用いてもよく、光源２のバイアス変化などにより変調を行う直接変調型の光源を用いて光変調手段としてもよい。
【００２５】
また、ここでは言及しなかったが、光信号Ｌおよび変調出力光ＬＭを伝送する際に、必要に応じて光電力を増幅するための光増幅器を挿入してもよい。
さらに、光電変換器７と素子アンテナ８との間に、光電変換器７により生成した電気信号Ｅの電力を増幅するための広帯域増幅器などを挿入してもよく、広帯域増幅器を光電変換器７に内蔵してもよい。
【００２６】
実施の形態２．
なお、上記実施の形態１（図１）では、単一の変調出力光ＬＭを生成して、照射方向を順次にシフトさせたが、図２のように、２個（複数）の変調出力光ＬＭ１、ＬＭ２を同一タイミングで生成して、それぞれの照射方向を順次にシフトさせもよい。
【００２７】
図２はこの発明の実施の形態２に係る電波目標模擬システムを示す構成図であり、前述（図１参照）と同様のものについては、前述と同一符号を付して詳述を省略する。
図２においては、２個（第１および第２）の変調出力光ＬＭ１、ＬＭ２を個別に生成するためのシステム構成例を示しているが、３個以上の任意数の変調出力光を個別に生成するシステム構成も可能である。
【００２８】
図２において、被測定物１０に対する電波目標模擬システムは、指定した周波数の電波目標を模擬するための第１および第２の擬似信号Ｓ１、Ｓ２を生成する第１および第２の擬似信号発生装置１１、１２と、第１および第２の光信号Ｌ１、Ｌ２を発生する第１および第２の光源２１、２２と、第１および第２の擬似信号Ｓ１、Ｓ２に基づき、第１および第２の光信号Ｌ１、Ｌ２を個別に強度変調する第１および第２の光変調器３１、３２と、各光変調器３１、３２から光ファイバ（図示せず）を介して空間に伝搬された変調出力光ＬＭを、個別に指定した方向に反射する第１および第２の駆動反射板４１、４２と、各駆動反射板４１、４２の傾き（矢印Ｒ１、Ｒ２方向）を制御する第１および第２の制御装置５１、５２と、各駆動反射板４１、４２の傾き変化量を第１および第２の動作量Ｃ１、Ｃ２として各制御装置５１、５２に対して個別に指定する第１および第２の計算機６１、６２と、各光変調器３１、３２からの第１および第２の変調出力光ＬＭ１、ＬＭ２を光電変換して第１および第２の電波信号Ｗ１、Ｗ２（目標模擬信号）に変換する複数の光電変換器７と、複数の光電変換器７に個別に接続された複数の素子アンテナ８と、複数の光電変換器７および複数の素子アンテナ８を配置するためのビルボード９と、を備えている。
【００２９】
第１の擬似信号発生装置１１、第１の波長可変の光源２１および第１の光変調器３１は、相互接続されて第１の変調系を構成しており、第１の電波目標に対応した第１の変調出力光ＬＭ１を生成する。
また、第２の擬似信号発生装置１２、第２の波長可変の光源２２および第２の光変調器３２は、相互接続されて第２の変調系を構成しており、第２の電波目標に対応した第２の変調出力光ＬＭ２を生成する。
【００３０】
各駆動反射板４１、４２は、各変調出力光ＬＭ１、ＬＭ２の反射面と、互いに異なる位置に対応した光電変換器７（素子アンテナ８）の開口面とが向かい合うように設置されており、各変調出力光ＬＭ１、ＬＭ２の伝搬方向を高速に変化させるための機能を有する。
すなわち、各駆動反射板４１、４２は、各制御装置５１、５２と、各駆動反射板４１、４２の各動作量Ｃ１、Ｃ２を指定する各計算機６１、６２とによって、独立に反射方向が制御され、互いに異なる光電変換器７に対して各変調出力光ＬＭ１、ＬＭ２を照射する。
【００３１】
各変調出力光ＬＭ１、ＬＭ２は、異なる光電変換器７によって第１および第２の電気信号Ｅ１、Ｅ２に変換された後、光電変換器７に接続された別々の素子アンテナ８から、目標を模擬する第１および第２の電波信号Ｗとして空間に放射され、被測定物（レーダ）１０に照射される。
【００３２】
以上のように、この発明の実施の形態２（図２）に係る電波目標模擬システムは、第１の目標を模擬する第１の擬似信号Ｓ１を生成する第１の擬似信号発生装置１１と、第１の目標とは異なる第２の目標を模擬する第２の擬似信号Ｓ２を生成する第２の擬似信号発生装置１２と、第１および第２の光信号Ｌ１、Ｌ２を個別に発生する第１および第２の光源２１、２２と、第１の擬似信号Ｓ１により第１の光信号Ｌ１を強度変調した第１の変調出力光ＬＭ１を生成する第１の光変調器３１と、第２の擬似信号Ｓ２により第２の光信号Ｌ２を強度変調した第２の変調出力光ＬＭ２を生成する第２の光変調器３２と、第１の変調出力光ＬＭ１を反射するとともに、第１の変調出力光ＬＭ１の第１の反射角度を任意に変更可能な第１の駆動反射板４１と、第２の変調出力光ＬＭ２を反射するとともに、第２の変調出力光ＬＭ２の第２の反射角度を任意に変更可能な第２の駆動反射板４２と、第１の駆動反射板４１の第１の動作量Ｃ１を制御して第１の反射角度を設定する第１の制御装置５１と、第２の駆動反射板４２の第２の動作量Ｃ２を制御して第２の反射角度を設定する第２の制御装置５２と、第１の制御装置５１に対して第１の動作量Ｃ１を指定する第１の計算機６１と、第２の制御装置５２に対して第２の動作量Ｃ２を指定する第２の計算機６２と、第１および第２の駆動反射板４１、４２により反射された第１および第２の変調出力光ＬＭ１、ＬＭ１を第１および第２の擬似信号Ｓ１、Ｓ２に対応した第１および第２の電気信号Ｅ１、Ｅ２に変換する複数の光電変換器７と、複数の光電変換器７に個別に接続されて、第１および第２の電気信号Ｅ１、Ｅ２に応じた第１および第２の電波信号Ｗ１、Ｗ２を空間に放射する複数の素子アンテナ８と、複数の光電変換器７および複数の素子アンテナ８を配置するためのビルボード９と、を備えている。
【００３３】
複数の素子アンテナ８は、第１および第２の電波信号Ｗ１、Ｗ２を、それぞれ異なる位置から同一タイミングで放射するとともに、時間的に順次に位置をシフトしながら被測定物１０に向けて放射する。
【００３４】
このように、各駆動反射板４１、４２の反射方向を制御することにより、前述と同様に、各擬似信号Ｓ１、Ｓ２に対応した第１および第２の電波信号Ｗ１、Ｗ２を放射する素子アンテナ８の位置を容易に制御することができ、システム全体が大型化することなく、設置が容易でかつ広帯域な電波目標模擬システムを得ることができる。
また、同一タイミングで複数の目標を同時に独立に模擬することのできる電波目標模擬システムを実現することができる。
【００３５】
なお、図２においては、それぞれ２個ずつ（第１および第２）の擬似信号発生装置１１、１２、波長可変の光源２１、２２、光変調器３１、３２、駆動反射板４１、４２を設けたが、これに限定されることはなく、３個以上の任意数ずつ設けてもよい。
この場合、さらに多くの目標を同時に独立に模擬できる電波目標模擬システムを実現することができる。
【００３６】
実施の形態３．
なお、上記実施の形態１、２（図１、図２）では、光電変換器７を、素子アンテナ８とともに、ビルボード９の内面（電波信号Ｗ、Ｗ１、Ｗ２の放射面）側に配列したが、図３のように、光電変換器７をビルボード９の裏面側に配列してもよい。
図３はこの発明の実施の形態３に係る電波目標模擬システムを示す構成図であり、前述（図１参照）と同様のものについては、前述と同一符号を付して詳述を省略する。
【００３７】
図３において、被測定物１０に対する電波目標模擬システムは、指定した周波数の電波目標を模擬するための擬似信号Ｓを生成する擬似信号発生装置１と、光信号Ｌを出力する光源２と、光信号Ｌを擬似信号Ｓで強度変調する光変調器３と、光変調器３から（光ファイバを介して）空間に伝搬された変調出力光ＬＭを指定方向に反射する駆動反射板４と、駆動反射板４の傾きを制御する制御装置５と、制御装置５に対して駆動反射板４の動作量Ｃ（傾きの変化量）を指定する計算機６と、変調出力光ＬＭを光電変換して電気信号（目標模擬信号）に変換する複数の光電変換器７と、各光電変換器７に個別に接続された複数の素子アンテナ８と、複数の光電変換器７および複数の素子アンテナ８を配置するためのビルボード９と、を備えている。
【００３８】
各光電変換器７は、ビルボード９の裏面側に配置され、各素子アンテナ８は、ビルボード９の内面（電波信号Ｗの放射面）側に配置されている。
擬似信号発生装置１、光源２、光変調器３、駆動反射板４、制御装置５および計算機６は、それぞれ光電変換器７の設置側、すなわちビルボード９の内面（アンテナ開口面）とは反対側に設置されている。
【００３９】
擬似信号発生装置１、光源２および光変調器３からなる変調出力系は、電波目標に対応した変調出力光ＬＭを生成し、駆動反射板４、制御装置５および計算機６は、変調出力光ＬＭの反射方向を制御して、光電変換器７に入射する。
変調出力光ＬＭが照射された光電変換器７は、変調出力光ＬＭを電気信号に変換し、自身に接続された素子アンテナ８から電波信号Ｗ（目標模擬信号）として空間に放射させ、被測定物（レーダ）１０に向けて照射する。
【００４０】
以上のように、この発明の実施の形態３（図３）に係る電波目標模擬システムは、前述（図１）と同様に、駆動反射板４の反射方向を制御することにより、電波信号Ｗを放射する素子アンテナ８の位置を容易に制御することができるので、設置が容易でかつ広帯域な電波目標模擬システムを得ることができる。
また、素子アンテナ８の開口面と駆動反射板４とを、互いにビルボード９の反対面側に設置することにより、光電変換器７と素子アンテナ８の間の電気信号の伝送距離を短くすることが可能になり、さらにシステム全体の小型化を実現することができる。
【００４１】
なお、図３においては、前述の実施の形態１（図１）の構成に適用した例を示したが、実施の形態２（図２）の構成に適用することもできる。
すなわち、図２のように、それぞれ２個ずつの擬似信号発生装置１１、１２、波長可変の光源２１、２２、光変調器３１、３３、駆動反射板４１、４２を設けた構成に対して、図３の構成を適用してもよい。この場合、複数個の目標を同時に独立に模擬することのできる電波目標模擬システムをさらに小型化することができる。
【符号の説明】
【００４２】
１  擬似信号発生装置、１１  第１の擬似信号発生装置、  １２  第２の擬似信号発生装置、２  光源、２１  第１の波長可変の光源、２２  第２の波長可変の光源、３  光変調器、３１  第１の光変調器、３２  第２の光変調器、４  駆動反射板、４１  第１の駆動反射板、４２  第２の駆動反射板、５  制御装置、５１  第１の制御装置、５２  第２の制御装置、６  計算機、６１  第１の計算機、６２  第２の計算機、７  光電変換器、８  素子アンテナ、９  ビルボード、１０  被測定物、Ｃ  動作量、Ｃ１  第１の動作量、Ｃ２  第２の動作量、Ｅ  電気信号、Ｅ１  第１の電気信号、Ｅ２  第２の電気信号、Ｌ  光信号、Ｌ１  第１の光信号、Ｌ２  第２の光信号、ＬＭ  変調出力光、ＬＭ１  第１の変調出力光、ＬＭ２  第２の変調出力光、Ｓ  擬似信号、Ｓ１  第１の擬似信号、Ｓ２  第２の擬似信号、Ｗ  電波信号、Ｗ１  第１の電波信号、Ｗ２  第２の電波信号。
【図１】
2011128059.tif 000003
【図２】
2011128059.tif 000004
【図３】
2011128059.tif 000005